(57)【要約】      （修正有）【課題】物干杆の高さと長さを調節できるようにすると共に、支柱の支持を安定させ、かつ収納時の容積を少なくする。【解決手段】所定間隔の２本の支柱１を、その上部と下部で連結杆により連結すると共に、前記支柱の下部へ複数の脚杆９の基部を回動自在に取付け、前記支柱の上部へブラケット１０を介し、物干桟１２の基部を垂直から水平まで回動自在に軸支し、前記支柱の上部へ夫々補高杆１５を昇降自在に嵌挿し、前記補高杆の上端部へ物干杆１７を架設したことを特徴とする。【選択図】図１
0003118429.tif 000002
【実用新案登録請求の範囲】
【請求項１】
所定間隔にした２本の支柱を上部と下部で連結杆により連結すると共に、前記支柱の上部へブラケットを介し、物干桟を起伏自在に取付け、前記支柱の下部へ、ブラケットを介して複数の脚杆の基部を回転自在に取付け、前記各支柱の上部へ補高杆を昇降自在に連結し、前記補高杆の上端部へ物干杆を架設したことを特徴とする物干し台。
【請求項２】
所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設したことを特徴とする物干し台。
【請求項３】
所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設し、前記連結杆と物干杆の左右端に補助杆を摺動自在に内装したことを特徴とする物干し台。
【請求項４】
所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設し、前記連結杆と物干杆の左右端に補助杆を摺動自在に内装し、前記脚杆の先端部へキャスターを取付けたことを特徴とする物干し台。
【請求項５】
所定間隔の２本の支柱を、その上部と下部で連結杆により連結すると共に、前記支柱の下部へブラケットを介し、複数の脚杆の基部を回動自在に取付け、前記支柱の上部へブラケットを介し、物干桟の基部をＬ字状案内溝に沿って、垂直から水平まで回動自在に軸支し、前記支柱へ夫々補高杆を昇降自在に嵌挿し、前記補高杆の上端部へ物干杆を架設し、前記連結杆と物干杆の左右端に補助杆を摺動自在に内装し、前記脚杆の先端部へキャスターを取付けたことを特徴とする物干し台。
【考案の詳細な説明】
【技術分野】
【０００１】
この考案は洗濯物等の干し物を、直接掛け又はハンガーを掛けて干すこと目的とした拡大、縮小できる物干し台に関する。
【背景技術】
【０００２】
従来２本の支柱の上部が連結杆により連結され、２本の支柱に物干し具と、物干し竿を支持する支持腕が取付けられ、支柱の下部に支持脚が回動可能に取付けられた物干し台が知られている。
【０００３】
また左右一対の物干し本体と、中間枠体と、連結枠桟とからなり、連結部から折り畳みできるようにした折り畳み式物干し台も提案されている。
【特許文献１】特開２００２−１８１９４
【特許文献２】実公平８−１７５６
【考案の開示】
【考案が解決しようとする課題】
【０００４】
前記従来知られている物干台は、高さの調節ができにくく、幅方向の拡大縮小が困難であったり、支持構造が不安定であったりする問題点があった。
【０００５】
特に高さについては、昇降自在の考えがなく（又は少なく）殆んど調節できない方式であった。また高さの増大に伴う安定性について、脚杆を取付けているが、安定性の点で不十分であり、対策が考慮されていないという問題点があった。
【課題を解決するための手段】
【０００６】
この考案は上部物干竿の高さを自由に調節できるようにすると共に、高さの増大に伴う脚杆の整備も考慮したので、前記従来の問題点を悉く解決したのである。
【０００７】
即ちこの考案は、所定間隔にした２本の支柱を上部と下部で連結杆により連結すると共に、前記支柱の上部へブラケットを介し、物干桟を起伏自在に取付け、前記支柱の下部へ、ブラケットを介して複数の脚杆の基部を回転自在に取付け、前記各支柱の上部へ補高杆を昇降自在に連結し、前記補高杆の上端部へ物干杆を架設したことを特徴とする物干し台であり、所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設したことを特徴とする物干し台である。
【０００８】
また他の考案は、所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設し、前記連結杆と物干杆の左右端に補助杆を摺動自在に内装したことを特徴とする物干し台であり、所定間隔の２本の支柱を、その上部と下部で連結杆により連結すると共に、前記支柱の下部へ複数の脚杆の基部を回動自在に取付け、前記支柱の上部へブラケットを介し、物干桟の基部を垂直から水平まで回動自在に軸支し、前記支柱の上部へ夫々補高杆を昇降自在に嵌挿し、前記補高杆の上端部へ物干杆を架設し、前記連結杆と物干杆の左右端に補助杆を摺動自在に内装し、前記脚杆の先端部へキャスターを取付けたことを特徴とする物干し台であり、所定間隔の２本の支柱を、その上部と下部で連結杆により連結すると共に、前記支柱の下部へブラケットを介し、複数の脚杆の基部を回動自在に取付け、前記支柱の上部へブラケットを介し、物干桟の基部をＬ字状案内溝に沿って、垂直から水平まで回動自在に軸支し、前記支柱へ夫々補高杆を昇降自在に嵌挿し、前記補高杆の上端部へ物干杆を架設し、前記連結杆と物干杆の左右端に補助杆を摺動自在に内装し、前記脚杆の先端部へキャスターを取付けたことを特徴とする物干し台である。
【０００９】
前記考案によれば、支柱へ補高杆を昇降自在に設置したので、使用者の好みに応じた高さを選定することができる。
【００１０】
また物干桟を垂直から水平まで回動自在としたので、不使用時は小さく折畳み、使用時に取り出すことができる効果がある。また補助杆を摺動自在に設けたので、物干し台の使用幅を増大、縮小させることができる。
【考案の効果】
【００１１】
この考案によれば、支柱の上部へ補高杆を昇降可能に嵌挿したので、必要に応じ必要な長さ宛物干竿の高さを調節することができる効果がある。また支柱の下端部へ複数の脚杆を回転自在に取付けたので、支柱の支持を安定させることができる効果がある。
【００１２】
また物干桟を水平から垂直まで畳み込めるので、不使用時に可及的に邪魔にならないようにすることができる効果がある。
【００１３】
次に連結杆の左右端に補助杆を、摺動自在に設けたので、物干部の幅を拡狭調節できる効果がある。
【考案を実施するための最良の形態】
【００１４】
２本の支柱（管体）を、その上部と下部で連結杆（管体）により連結すると共に、前記支柱の下部へ複数の脚杆を回動自在に取付け、前記支柱の上部へ、物干桟を垂直から水平まで回動自在に軸支し、前記支柱へ夫々補高杆を昇降自在に嵌挿し、各支柱の上端部で固定するようにして、物干竿の高さを調節する。
【００１５】
また連結杆の左右両端には、補助杆を摺動自在に挿入してあるので、必要に応じ連結杆を長くして使用することができる。また支柱の下部には複数の脚杆の基部を回動自在に取付けたので、脚杆を適度の角度で配置することにより、物干し台を安定支持させることができる。
【実施例１】
【００１６】
この考案の実施例を図１、２外について説明すると、支柱１、１の下端をブラケット２、２に直立設置した軸管３、３へ連結具４、４を介して接続する。前記ブラケット２、２は、対向側を開口したコ状であって、このコ状内へ脚杆５、５の基部を回動自在に軸支してある。また左右ブラケット２、２と、支柱１、１の上端部とは連結杆６、７で連結し、各連結杆６の両端部に補助杆８、８を摺動自在に設置し、連結杆７の両端には脚杆９、９を出入自在に嵌挿してある。
【００１７】
前記支柱１、１の上端部側壁へ、ブラケット１０、１０を固定し、ブラケット１０、１０へ、前記支柱１、１を挟んで逆Ｌ状溝１１、１１を設け、この逆Ｌ状溝１１、１１へ、物干桟１２、１２の横枠１３、１３に設けた突起１４、１４を嵌合させる。前記２本の突起１４、１４は、２本共に逆Ｌ状溝１１、１１の水平部へ入った時に横枠が水平支持され、垂直部へ入った時に横枠１３、１３が垂直支持される（図３）。
【００１８】
前記支柱１、１内には補高杆１５、１５が昇降可能に嵌挿され、支柱１、１の上端部に取付けた締付環１６、１６によって補高杆１５、１５を所定高さに調節固定できるようにしてある。
【００１９】
前記補高杆１５、１５の上端部に物干杆１７が連結され、物干杆１７の両端に補助杆１８、１８が出入自在に嵌挿して、この発明の物干し台２０が完成する。
【００２０】
前記実施例において、物干し台２０は図１の状態で使用される。これを収納する場合には、締付環１６、１６を弛めて、補高杆１５、１５を矢示１９、１９のように下降させると共に、物干桟１２、１２を図１の位置から、矢示２１、２１のように回動させる（図１、３）。図中２４はキャスター、２５は支突片である。
【００２１】
また脚杆５、５を矢示２２、２２のように回動させて、可及的に小容積化する（図２、４）。また脚杆９を矢示２３、２３のように引込める（図１、２）。
【００２２】
即ち使用時には、前記と逆の手順により全体を拡開し、かつ展開する（図１）。また閉鎖時には、夫々折畳してなるべく小容積に整理する（図３、４）。
【００２３】
この考案の物干し台は、全部拡大し（図１）、縮小し（図２）又はその中間の高さ、幅として使用することができる。
【００２４】
前記実施例は、この考案の一例であって、実施例の形状に限定されるものではない。また脚杆のブラケットの形状についても、この実施例に限定されるものではない。
【図面の簡単な説明】
【００２５】
【図１】この考案の実施例の使用状態における斜視図。
【図２】（ａ）同じく物干桟を折畳した斜視図、（ｂ）同じく一部拡大斜視図。
【図３】同じく物干桟を折畳した拡大側面図。
【図４】同じく脚杆を回動した状態の一部拡大斜視図。
【符号の説明】
【００２６】
１  支柱
２  ブラケット
３  軸管
４  連結具
５  脚杆
６、７  連結杆
８  補助杆
９  脚杆
１０  ブラケット
１１  逆Ｌ状溝
１２  物干桟
１３  横枠
１４  突起
１５  補高杆
１６  締付杆
１７  物干杆
１８  補助杆
２０  物干し台
【図１】
0003118429.tif 000003
【図２】
0003118429.tif 000004
【図３】
0003118429.tif 000005
【図４】
0003118429.tif 000006